(57)【特許請求の範囲】
【請求項１】
接眼レンズを収納保持する接眼レンズ保持筒と、該接眼レンズ保持筒の外周部と摺動可能な接眼外筒と、該接眼外筒と共に目当てを構成するように前記接眼外筒の外周部に固設された目当てカバーと、を有する光学機器の目当て機構において、
前記接眼外筒の回動に伴って前記接眼外筒が前記接眼レンズの光軸方向に移動するように、前記接眼レンズ保持筒と前記接眼外筒は、そのいずれか一方に設けられたカム軸と他方に設けられたカム溝によるカム機構を有し、
前記接眼外筒は、前記カム機構により、観察者側に繰り出した繰出し位置と前記観察者と反対側に繰り込んだ繰込み位置との間で移動し、
前記接眼レンズ保持筒は、前記繰出し位置で前記接眼外筒の移動を制限する第１の制限部材と、前記繰込み位置で前記接眼外筒の移動を制限する第２の制限部材とを有し、
前記第１の制限部材は、前記カム軸が前記カム溝の一方の端部に接触する前に、前記接眼外筒の移動を制限し、前記第２の制限部材は、前記カム軸が前記カム溝の他方の端部に接触する前に、前記接眼外筒の移動を制限することを特徴とする光学機器の目当て機構。
【請求項２】
前記第１の制限部材は、前記接眼レンズ保持筒の外周部に形成された凸部を含み、前記凸部が前記接眼外筒の内周部に形成された張出し部に当接することによって、前記接眼外筒の移動を制限することを特徴とする請求項１に記載の光学機器の目当て機構。
【請求項３】
前記第２の制限部材は、前記接眼レンズ保持筒の外周部に突設された輪帯部を含み、前記輪帯部が前記接眼外筒の前記観察者と反対側の端部に当接することによって、前記接眼外筒の移動を制限することを特徴とする請求項１または２に記載の光学機器の目当て機構。
【発明の詳細な説明】
【０００１】
【発明の属する技術分野】
本発明は、双眼鏡、望遠鏡、顕微鏡などの目当てを備えた光学機器の目当て機構に関するものである。
【０００２】
【従来の技術】
光学機器の目当ては、接眼部に取り付けられており、接眼レンズの光軸方向に移動させることによって、眼鏡使用者にも眼鏡不使用者にも、快適な視野を提供する。従来の目当ては、接眼レンズの光軸廻りに回転することによって、光軸方向に移動し、この移動距離はカム機構によって制限されていた。
図４は、従来の目当て機構の構造を示す縦断面図である。目当て２０は、接眼外筒１２の外周に目当てカバー１１が固設されて成る。接眼外筒１２は円筒状であり、その内周面と接眼レンズ保持筒１４の外周面とは互いに摺動可能になっている。接眼レンズ保持筒１４の外周面ｓはストレートに形成されている。外周面ｓに沿って接眼外筒１２が接眼レンズ保持筒１４に対して移動することによって、目当て先端部２０ａと接眼レンズ最終面との距離を変えている。
【０００３】
図４は、目当て先端部２０ａがｄ１の位置にあり、目当てが繰り出された状態である。また、目当て先端部２０ａが図中破線で表すｄ２の位置にあるときは、目当てが繰り込まれた状態になる。ｄ１及びｄ２の位置決めを行うのは、接眼レンズ保持筒１４に植設されたカム軸１５ａ，１５ｂと接眼外筒１２に形成されたカム溝（不図示）からなるカム機構による。なお、接眼レンズ保持筒１４は、通常、複数個の接眼レンズを保持し、対物レンズ側で光学機器本体に取り付けられている。
【０００４】
図５は、従来の接眼外筒の構造を示すための、上面図（ａ）、側面図（ｂ）、下面図（ｃ）及び上面図をＸ−Ｘで切断した半円筒の側面図（ｄ）である。但し、図５は、図４との対比においては、接眼レンズの光軸回りに９０度回転されて示されている。
【０００５】
要点を言えば、接眼外筒１２は、その円筒面に180度離れて2つのカム溝１６ａ，１６ｂが形成された円筒である。これら２つのカム溝１６ａ，１６ｂに、図５のカム軸１５ａ，１５ｂがそれぞれ係合している。カム軸１５ａ，１５ｂがｄ１の位置にあるときは目当て２０が繰り出された状態になり、カム軸１５ａ，１５ｂがｄ２の位置にあるときは目当て２０が繰り込まれた状態になる。目当て２０がｄ１及びｄ２の位置になる係止時には、カム軸１５ａ，１５ｂは、それぞれカム溝１６ａ，１６ｂの端に押し当てられる。すなわち、目当ての移動を制限するのは、カム機構による。
【０００６】
【発明が解決しようとする課題】
目当ての位置を決める係止時には、カム軸はカム溝に押し当てられるので、カム軸が接眼保持筒に植設されている部分には最も力が加わることになる。特に、接眼部がコンパクトに設計されている光学機器においては、必然的にカム軸も小さくなり、植設（例えば、ネジ込み）されている部分のネジ径も細くなっている。
【０００７】
一方、目当ての目当てカバーは、ゴム製であることが多く、これを回転させた時には大きなモーメントが生じ、カム軸がカム溝の端部（ｄ１及びｄ２の位置）に押し当てられた瞬間には衝撃力が働く。カム軸の植設部分は、この衝撃力の影響を最も受けるために、最悪の場合は破損する。もちろん、カム溝の端部にも衝撃力が働く。
【０００８】
本発明は、大きな力を受けてもカム軸やカム溝が破損しない目当て機構を提供することを目的とする。
【０００９】
【課題を解決するための手段】
請求項１の発明は、接眼レンズを収納保持する接眼レンズ保持筒と、該接眼レンズ保持筒の外周部と摺動可能な接眼外筒と、該接眼外筒と共に目当てを構成するように前記接眼外筒の外周部に固設された目当てカバーと、を有する光学機器の目当て機構において、前記接眼外筒の回動に伴って前記接眼外筒が前記接眼レンズの光軸方向に移動するように、前記接眼レンズ保持筒と前記接眼外筒は、そのいずれか一方に設けられたカム軸と他方に設けられたカム溝によるカム機構を有し、前記接眼外筒は、前記カム機構により、観察者側に繰り出した繰出し位置と前記観察者と反対側に繰り込んだ繰込み位置との間で移動し、前記接眼レンズ保持筒は、前記繰出し位置で前記接眼外筒の移動を制限する第１の制限部材と、前記繰込み位置で前記接眼外筒の移動を制限する第２の制限部材とを有し、前記第１の制限部材は、前記カム軸が前記カム溝の一方の端部に接触する前に、前記接眼外筒の移動を制限し、前記第２の制限部材は、前記カム軸が前記カム溝の他方の端部に接触する前に、前記接眼外筒の移動を制限することを特徴とする。
【００１０】
【発明の実施の形態】
本発明の目当て機構は、接眼レンズ保持筒４と、接眼外筒２の外周に目当てカバー１が固設されて成る目当て１０と、接眼外筒２を接眼レンズ保持筒４に対して摺動可能とするメカニズムと、を有する。この目当て機構は、カム機構による係止をせず、別に制限部材を設けることによってカム軸やカム溝の破損を防止するメカニズムを備えたものである。
【００１１】
以下、図面を参照しながら本発明の目当て機構を説明する。図１は、本発明の実施の形態に係る目当て機構の構造を接眼部とともに示す縦断面図である。図２は、図１の縦断面図から目当てを外した状態の側面図（ａ）と上面図（ｂ）である。図３は、本発明の実施の形態に係る目当て機構に用いられる接眼外筒の構造を示すための、上面図（ａ）、側面図（ｂ）、下面図（ｃ）及び上面図をＸ−Ｘで切断した半円筒の側面図（ｄ）である。Ｘ−Ｘ切断面は接眼外筒の中心を通る。なお、図１から図３の説明において、図４及び図５で説明した従来技術と重複する部材やメカニズムについては説明を省略する場合がある。図１において、目当て先端部１０ａがＤ１の位置にあるときは目当て１０が繰り出された状態、また、目当て先端部１０ａが図中破線で表すＤ２の位置にあるときは目当て１０が繰り込まれた状態を示す。Ｄ１とＤ２の間隔が目当て１０の移動距離を表す。
【００１２】
本発明の目当て機構は、従来品に比べ、次の２つの特徴をもっている。第１に、本発明の目当て機構は、接眼レンズ保持筒４の中央付近に輪帯状の凸部４ａを有することである。第２に、本発明の目当て機構は、接眼レンズ保持筒４の観察者側にほぼ輪帯状の凸部３（図中、３ａ，３ｂ）を有することである。従って、接眼レンズ保持筒４の外周面Ｓに段差が設けられた構造になる。以上の点は、図１の縦断面図と図４の縦断面図を比べてみると明らかである。
【００１３】
図２は、本発明の目当て機構に用いられる接眼レンズ保持筒４の側面図（ａ）と上面図（ｂ）である。但し、図２は、図１との対比においては、接眼レンズの光軸回りに９０度回転させて示す図である。図２により、上記の２つの特徴、すなわち輪帯状の凸部４ａとほぼ輪帯状の凸部３（３ａ〜３ｄにて構成される）は一層明らかに示されている。輪帯状の凸部４ａとほぼ輪帯状の凸部３は、制限部材としての機能を有する。また、ほぼ輪帯状の凸部３ａ，３ｂには、カム軸５ａ，５ｂを植設するためのネジ孔５ａ１，５ｂ１が形成されている。
【００１４】
ほぼ輪帯状の凸部３の形状は、図２（ｂ）の上面図から明らかなように、４つの切り欠き３ｅをもつ円形である。ほぼ輪帯状の凸部３が切り欠きをもつ理由は後述する。なお、接眼レンズ保持筒は、寸法精度と強度が要求されるために、通常は金属で一体に製造される。
【００１５】
図３に、本発明の目当て機構に用いられる接眼外筒の構造を示す。側面図（ｄ）は、上面図（ａ）をＸ−Ｘで切断した半円筒の側面図である。図３の（ａ）及び（ｄ）を、それぞれ図６の（ａ）及び（ｄ）と対比させてみれば明らかなように、接眼外筒２は、その内面下側（対物レンズ側）に４つの張り出し部２ａ〜２ｄが設けられている点に特徴がある。これは、接眼外筒に設けられた制限部材としての機能を有する。
【００１６】
ここで、ほぼ輪帯状の凸部３が切り欠きをもつ理由を説明する。図２（ｂ）と図３（ａ）を参照すると、目当てを接眼部に組み付ける際には、接眼外筒２を接眼レンズ保持筒４に挿入するのであるが、切り欠き部３ｅの位置に接眼外筒２の張り出し部２ａ〜２ｄを合わせれば容易に挿入できる。その後で、接眼外筒２を４５度廻せば、ほぼ輪帯状の凸部３ａ〜３ｄと張り出し部２ａ〜２ｄとの位置合わせが完了する。
【００１７】
次に、本発明の目当て機構がどのように動作するかを説明する。
接眼外筒２にはその円筒面に180度離れて2つのカム溝６ａ，６ｂが形成されており、これらに図１に示すカム軸５ａ，５ｂがそれぞれ係合し、カム軸５ａ，５ｂがＤ１の位置にあるときは目当てが繰り出された状態になり、カム軸５ａ，５ｂがＤ２の位置にあるときは目当てが繰り込まれた状態になる。ここまでは、従来品の構造と同じである。
【００１８】
図４について述べたように、従来の目当て機構では、目当てがｄ１及びｄ２の位置になる係止時には、カム軸１５ａ，１５ｂは、それぞれカム溝１６ａ，１６ｂの端部に押し当てられる。しかし、本発明の目当て機構では、このようなことは起こらない。
【００１９】
本発明の目当て機構には、接眼レンズ保持筒４と接眼外筒２とに各々１つ以上制限部材が設けられている。本実施形態においては、図１及び図２に示されるように、接眼レンズ保持筒４に２つの制限部材４ａと３（３ａ〜３ｄにて構成される）が設けられている。また、図３に示されるように、接眼外筒２にも制限部材２ａ〜２ｄが設けられている。
【００２０】
目当て１０が繰り出されてゆき位置Ｄ１に至ると、接眼外筒２の制限部材２ａ〜２ｄが接眼レンズ保持筒４の制限部材３（３ａ〜３ｄ）に当接するので、目当て１０は停止する。反対に、目当て１０が繰り込まれてゆき位置Ｄ２に至ると、接眼外筒２の対物レンズ側の端面が接眼レンズ保持筒４の制限部材４ａに当接するので、目当て１０は停止する。２つの停止位置（Ｄ１とＤ２）は、カム軸５ａ，５ｂがそれぞれカム溝６ａ，６ｂの端部に当接する位置よりも僅かに手前に設定されることにより、カム軸５ａ，５ｂがそれぞれカム溝６ａ，６ｂの端部に押し当てられることがなくなる。従って、カム軸やカム溝が破損するのを防止できる。
【００２１】
また、制限部材は、既存の接眼レンズ保持筒と接眼外筒に設けるだけなので、目当て機構としての部品点数は従来と変わらない。
【００２２】
【発明の効果】
本発明の目当て機構は、カム機構とは別に目当ての移動を制限する制限部材を設けたので、目当てが大きな力を受けてもカム軸やカム溝の破損を防止できる。
【図面の簡単な説明】
【図１】本発明の実施形態に係る目当て機構の構造を接眼部とともに示す縦断面図である。
【図２】本発明の実施形態に係る目当て機構に用いられる接眼レンズ保持筒の側面図（ａ）と上面図（ｂ）である。
【図３】本発明の実施の形態に係る目当て機構に用いられる接眼外筒の構造を示すための、（ａ）上面図、（ｂ）側面図、（ｃ）下面図及び（ｄ）Ｘ−Ｘで切断した半円筒の側面図である。
【図４】従来の目当て機構の構造を接眼部とともに示す縦断面図である。
【図５】従来の目当て機構に用いられる接眼外筒の構造を示すための、（ａ）上面図、（ｂ）側面図（ｃ）下面図及び（ｄ）Ｘ−Ｘで切断した半円筒の側面図である。
【符号の説明】
１，１１          目当てカバー
２，１２          接眼外筒
２ａ〜２ｄ        張り出し部（制限部材）
３，３ａ〜３ｄ    ほぼ輪帯状の凸部（制限部材）
４、１４          接眼レンズ保持筒
４ａ              輪帯状の凸部（制限部材）
５ａ，５ｂ，１５ａ，１５ｂ      カム軸
６ａ，６ｂ，１６ａ，１６ｂ      カム溝
１０、２０        目当て
【図１】
0004719958.tif 000002
【図２】
0004719958.tif 000003
【図３】
0004719958.tif 000004
【図４】
0004719958.tif 000005
【図５】
0004719958.tif 000006